(57)【特許請求の範囲】
【請求項１】
内容の異なる複数のコンテンツが多重化されたデジタルコンテンツを再生する装置において、デジタルコンテンツを取得し、再生するとともに、再生するコンテンツの内容に応じた複数の操作ユーザインタフェースを持ち、前記デジタルコンテンツと前記操作ユーザインタフェースを同一の画面上の表示し、前記コンテンツに含まれる操作ユーザインタフェースの表示種別に関する情報の内容変化を監視し、コンテンツの操作ユーザインタフェースの表示種別に関する情報の内容変化と該コンテンツの時間属性に従い、同一描画領域に自動的にリニアコンテンツの操作ユーザインタフェースとインタラクティブコンテンツの操作ユーザインタフェースを排他で表示することを特徴とするデジタルコンテンツ再生装置。
【請求項２】
請求項１記載のデジタルコンテンツ再生装置において、
前記デジタルコンテンツをネットワークを介して取得し、再生することを特徴とするデジタルコンテンツ再生装置。
【請求項３】
請求項１のデジタルコンテンツ再生装置において、あらかじめ記録されたコンテンツのみを再生することを特徴とするデジタルコンテンツ再生装置。
【請求項４】
請求項１、２または３のデジタルコンテンツ再生装置において、
前記デジタルコンテンツと前記操作ユーザインタフェースを異なる画面上に表示することを特徴とするデジタルコンテンツ再生装置。
【発明の詳細な説明】
【技術分野】
【０００１】
本発明は、内容の異なる複数のコンテンツが多重化されたデジタルコンテンツを再生する装置において、特に、操作ユーザインタフェースを用いてデジタルコンテンツの再生制御を行う場合の画像描画技術に関するものである。
【背景技術】
【０００２】
従来、デジタルコンテンツの再生装置であるデジタル放送対応HDD/DVDレコーダーにおいては、チャンネル操作の他に、映像や音声等のリニアコンテンツの再生制御キーとして、「再生」、「停止」や「早送り」、「早戻し」、「一時停止」等の操作キーを必要とし、さらにデータ放送の操作制御に対応するために、「上」、「下」、「左」、「右」、「決定」、四色キーが必要であり、全ての機能に対応するには多くのリモコンキーを必要とし、ユーザは操作方法の学習に時間がかかる、あるいは使い勝手が悪いという課題があった。
【０００３】
そこで、従来ではデジタルコンテンツの内容に従い、リモコンの使用可能なキーを発光させ、ユーザに提示する放送受信装置があった。（例えば、特許文献１参照）また、GUI(グラフィカルユーザインタフェースデジタル)によって再生制御を行う場合、代表的な装置としてデジタル放送対応パソコンやDVD再生対応パソコンがあげられる。この場合においては、前記リニアコンテンツと前記インタラクティブコンテンツの再生キーを画面上に表示するが、使用不可能なキーを無効化することにより、ユーザの使い勝手をあげることが可能であった。しかし、全てのキーを表示するには、広い描画領域を必要とした。また、デジタル放送はリニアコンテンツとインタラクティブコンテンツが多重化されて伝送されているため、録画においても多重化して録画されていた。
【０００４】
【特許文献１】特開2005-73022公報
【発明の開示】
【発明が解決しようとする課題】
【０００５】
しかしながら、特許文献１に記載のものは、全てのキーを搭載する必要があり、面積の大きなリモコンが必要であった。同様にＧＵＩも用いた場合においても全てのキーを表示する必要があり、広い操作パネル描画領域が必要であった。
さらに、デジタル放送におけるデータ放送の内容は、ニュース、天気予報等の即時性のある情報があり、再生時には新鮮さに欠けるという課題があった。
【０００６】
そこで、本発明の目的は、デジタルコンテンツの内容に応じて、自動的に使用可能な操作キーのみ表示することにより、ユーザの操作学習時間を短くするとともに、描画領域を小さくすることによりマウス移動量を小さくし、使い勝手をよくすること。さらに、描画領域を小さくすることにより、相対的に映像表示領域を大きくしたデジタルコンテンツ再生装置を提供することにある。また、デジタルコンテンツの内容を監視し、再生時においても新鮮さを保った再生が可能なデジタルコンテンツ再生装置を提供することにある。
【課題を解決するための手段】
【０００７】
本発明によるデジタルコンテンツ再生装置は、複数の同一サイズの操作ユーザインタフェースを持ち、デジタルコンテンツの内容を監視し、変化に従い、同一描画領域に自動的に前記複数の操作ユーザインタフェースを排他で表示することにより、使用可能な操作キーのみ表示する。また、デジタルコンテンツの内容を監視し、デジタルコンテンツの属性に従い表示を制御する。
【発明の効果】
【０００８】
この発明によれば、複数の同一サイズの操作ユーザインタフェースを持ち、デジタルコンテンツの内容を監視し、変化に従い、同一描画領域に自動的に前記複数の操作ユーザインタフェースを排他で表示することにより、使用可能な操作キーのみ表示でき、ユーザの操作学習時間を短くすることができる。
【０００９】
また、本発明は、描画領域を小さくすることによりマウス移動量を小さくすることにより、使い勝手をよくすることができる。
【００１０】
本発明は、描画領域を小さくすることにより、相対的に映像表示領域を大きくすることができる。
【００１１】
本発明は、デジタルコンテンツの内容に従い表示状態を制御することにより、視聴時に新鮮な情報のみを提示することができる。
【発明を実施するための最良の形態】
【００１２】
以下、本発明の実施の形態を図面に基づいて詳細に説明する。
【実施例１】
【００１３】
図１は、本発明の実施の形態１によるデジタルコンテンツ再生装置の構成を示す構成図である。
図１において、デジタルコンテンツ再生装置は、放送受信部１で受信した放送データをデータ入出力制御部２を介し、データ記録部３に記録する。前記データ入出力制御部２は、前記データ記録部３よりデータを読み出し、読み出されたデータは、データ抽出部４を介して、コンテンツ復号部６で復号され、画像描画部７に伝達される。また、データ監視部５は、常に前記データ抽出部４に対し、デジタルコンテンツの内容を監視し、変化に応じて、コンテンツの内容に応じた操作ユーザインタフェースの描画を前記画像描画部７に支持する。画像描画部７で復号されたコンテンツと操作ユーザインタフェースは重ね合わせられ、映像として出力される。表示された操作ユーザインタフェースに対して、ユーザによってマウス、キーボード、あるいはリモコンを用いた入力は、ユーザ操作入力部８に入力され、システム制御部にユーザ操作情報を伝達する。前記システム制御部９は、ユーザ操作情報に従い、前記放送受信部１、データ入出力制御部２、データ抽出部４、コンテンツ復号部６、画像描画部７を制御する。
【００１４】
次に、デジタル放送再生時の操作ユーザインタフェースについて説明する。
図２、図３および図４は、デジタル放送再生時の映像表示状態である。モニタA1には、コンテンツ表示部A2と操作パネル表示部A3が表示される。動画コンテンツ等のリニアコンテンツ再生時には、再生、停止、一時停止、早送り、早戻し、前スキップ、次スキップ等の機能を持つリニアコンテンツ操作パネルA4を前記操作パネル表示部A3に表示する。
【００１５】
一方、データ放送等のインタラクティブコンテンツ再生時には、０から９までの数字キー、上下左右キー、決定キー、青、赤、緑、黄キー等の機能を持つインタラクティブコンテンツ操作パネルA5を前記操作パネル表示部A3に表示する。
【００１６】
前記リニアコンテンツ操作パネルA4と前記インタラクティブコンテンツ操作パネルA5は排他で表示され、同時に表示しない。なお、前記リニアコンテンツ操作パネルA4と前記インタラクティブコンテンツ操作パネルA5の持つ機能は、上記に限定するものではなく、装置の機能に応じ、増減させることも可能である。
【００１７】
次に、具体的なデジタルコンテンツの監視方法について、日本の地上デジタル放送を例として、説明する。
地上デジタル放送においては、TV型サービス、データ放送サービス、データ付加TVサービスが規定されている（電波産業会  地上デジタルテレビジョン放送運用規定  TR-B14）。また、デジタル放送におけるPSI(Program Specific Information：番組特定情報)のひとつにPMT（Program Map Table：番組構成テーブル）があり、この中にデータ符号化記述子が含まれ、さらに、この中にauto_start_flagが記載されている。
【００１８】
データ付加TVサービスにおいて、auto_start_flagが１の場合、自動的にデータ放送を表示し、０の場合、ユーザ指示によりデータ放送を表示する。前記データ監視部は、該auto_start_flagを監視し、１になった場合、前記インタラクティブコンテンツ操作パネルA5を表示し、０になった場合、リニアコンテンツ操作パネルを表示する。
【００１９】
このように本実施の形態では、同一サイズのリニアコンテンツ操作パネルとインタラクティブコンテンツ操作パネルを持ち、デジタルコンテンツの内容を監視し、変化に従い、同一描画領域である操作パネル表示部A3に自動的に排他で表示することにより、使用可能な操作キーのみ表示でき、ユーザの操作学習時間を短くするとともに、描画領域を小さくすることによりマウス移動量を小さくし、使い勝手をよくし、さらに、描画領域を小さくすることにより、相対的に映像表示領域を大きくすることが可能である。
【００２０】
本実施例において、地上デジタル放送の場合を説明したが、他のデジタルコンテンテンツを再生する場合においても、コンテンツ切替フラグを監視することにより、自動的に操作パネルを切り換えることが可能である。
【実施例２】
【００２１】
図５は、本実施例の構成図である。実施の形態１と異なる箇所のみ説明する。
実施の形態１において、データは放送波を介して、装置に伝達されるが、本実施例においては、ネットワークB1を用いたデジタルコンテンツサービスを想定している。この場合においては、前記ネットワークB1に接続されたネットワーク接続部B2によって、データ取得できる。データ入出力制御部２以降は実施例１と同様なので、省略する。
【実施例３】
【００２２】
図６は、本実施例の構成図である。実施の形態２と異なる箇所のみ説明する。
実施の形態２において、前記ネットワークB1に接続されたネットワーク接続部B2によって、取得されたデータはデータ記録部３に記録されるが、本実施例においては、VOD（Video  On  Demand）型サービスを想定しており、再生装置にはデータ記録部を持たない。データ入出力制御部２は、ネットワーク接続部B2、ネットワークB1を介して接続されたVODサービスセンタに対し、必要なデータを要求する。データ入出力制御部２以降は実施例１と同様なので、省略する。
【実施例４】
【００２３】
図７は、本実施例の構成図である。実施の形態１と異なる箇所のみ説明する。
実施の形態１において、放送波を介して取得したデータをデータ記録部３に記録するが、本実施例においては、放送受信部１を持たず、あらかじめデータ記録部３に記録済みのデータのみ再生する。本実施例は再生専用機を想定している。データ入出力制御部２以降は実施例１と同様なので、省略する。
【実施例５】
【００２４】
図８は、本実施例における画面の構成図である。実施例１においては、コンテンツ表示部と操作パネル表示部は同一のモニタに表示するが、本実施例においては、第１のモニタA6にコンテンツ表示部A2があり、第のモニタA7に操作パネル表示部A3を持つ。操作パネル表示部A3を例えばリモコン等に持つことにより、リモコンのキー減らすことが可能となる。図９は、本実施例における構成図である。
【００２５】
実施例１と異なるのは、コンテンツ描画部７ｂと操作パネル描画部７ｃが独立していることである。その他については実施例１と同様なので、省略する。図１０、１１、１２については、実施例２、３、４において、コンテンツ描画部７ｂと操作パネル描画部７ｃを独立させた構成図である。その他においては、前記実施例と同様なので省略する。
【実施例６】
【００２６】
図面は実施例１、２、３、４または５と同様である。実施例１において、データ監視部はauto_start_flagを監視したが、本実施例においては、デジタルコンテンツの属性記録および、データ放送記述言語ＢＭＬの言語解析を行う。
【００２７】
図１３は、前記属性および前記言語解析結果の例である。地上デジタル放送のデータ放送は、ニュース、天気予報等の即時性のあるコンテンツの場合がある。これらのコンテンツには賞味期限のような性格があり、例えば１ヶ月後に参照することは考えにくい。そこで、本実施例においては、録画日時やコンテンツ内容から、あらかじめコンテンツの賞味期限を設け、賞味期限内のコンテンツであれば、前記auto_start_flagが１であっても、データ放送を表示せず、操作パネルはリニアコンテンツ操作パネルを表示する。また、賞味期限内で、ユーザが未視聴の内容であれば、auto_start_flagが０であっても、自動的にデータ放送を表示するとともに、インタラクティブコンテンツ操作パネルを表示する。以上により、デジタルコンテンツの内容に従い表示状態を制御することにより、視聴時に新鮮な情報のみを提示することができる。
【図面の簡単な説明】
【００２８】
【図１】実施形態１の構成を示した説明図である。
【図２】実施形態１の画面の構成を示した説明図である。
【図３】実施形態１のリニアコンテンツ操作パネルを示した説明図である。
【図４】実施形態１のインタラクティブコンテンツ操作パネルを示した説明図である。
【図５】実施形態２の構成を示した説明図である。
【図６】実施形態３の構成を示した説明図である。
【図７】実施形態４の構成を示した説明図である。
【図８】実施形態５の画面の構成を示した説明図である。
【図９】実施形態５の構成を示した説明図である。
【図１０】実施形態５の構成を示した説明図である。
【図１１】実施形態５の構成を示した説明図である。
【図１２】実施形態５の構成を示した説明図である。
【図１３】実施形態６のデジタルコンテンツ属性を示した説明図である。
【符号の説明】
【００２９】
1…放送受信部（チューナー）、2…データ入出力制御部、3…データ記録部（ＨＤＤ）、
4…データ抽出部（ＤｅＭＵＸ）、5…データ監視部、6…コンテンツ復号部、
7…画像描画部、8…ユーザ操作入力部、9…システム制御部、
A1…モニタ、A2…コンテンツ表示部、A3…操作パネル表示部、
A4…リニアコンテンツ操作パネル、A5…インタラクティブコンテンツ操作パネル、
B1…ネットワーク、B2…ネットワーク接続部、7b…コンテンツ描画部、
7c…操作パネル描画部、A6…第１のモニタ、A7…第２のモニタ
【図１】
0004640046.tif 000002
【図２】
0004640046.tif 000003
【図３】
0004640046.tif 000004
【図４】
0004640046.tif 000005
【図５】
0004640046.tif 000006
【図６】
0004640046.tif 000007
【図７】
0004640046.tif 000008
【図８】
0004640046.tif 000009
【図９】
0004640046.tif 000010
【図１０】
0004640046.tif 000011
【図１１】
0004640046.tif 000012
【図１２】
0004640046.tif 000013
【図１３】
0004640046.tif 000014